(57)【要約】【課題】人体に十分な冷感を与え、ドライアイスの装填が容易で、作業員の作業性もよく、難燃性の基準を満たす熱所作業用冷却服を提供する。【解決手段】冷却服は、衣服本体１０と、上記衣服本体１０の内側に設けられてドライアイスを収容するポケット部１１とを備え、上記冷却服を構成する繊維素材が難燃性繊維からなる。このため、溶鉱炉、電炉、溶接・溶断、造船、ガラス製造・加工などの作業に代表される高温環境下で着用する服としての難燃基準に適合し、作業者の安全を確保できる。また、ポケット部１１に収容したドライアイスの冷熱を利用するため、循環液用の付加装置やチューブがなく作業性が低下しない。さらに。上記ポケット部１１が上記衣服本体１０の内側に設けられているため、ポケット部１１に収容したドライアイスの冷熱が外部に逃げずに身体に作用しやすく、作業者に冷感を与える効率がよい。【選択図】図１
2018053387.tif 000002
【特許請求の範囲】
【請求項１】
冷却服は、衣服本体と、上記衣服本体の内側に設けられてドライアイスを収容するポケット部とを備え、
上記冷却服を構成する繊維素材が難燃性繊維からなる
ことを特徴とする熱所作業用冷却服。
【請求項２】
上記ポケット部にはフラップが設けられており、
上記フラップは難燃性繊維からなる繊維素材で構成されている
請求項１記載の熱所作業用冷却服。
【請求項３】
上記難燃性繊維は、綿を主体とする基材にホスホニウム化合物が含浸されているものである
請求項１または２記載の熱所作業用冷却服。
【請求項４】
上記ポケット部は、内側に位置する部分を複数枚の布を重ねた積層構造とした
請求項１〜３のいずれか一項に記載の熱所作業用冷却服。
【発明の詳細な説明】
【技術分野】
【０００１】
本発明は、高温環境で着用して作業者の身体を冷却し、熱中症などの暑熱から起こる障害を防止できる熱所作業用冷却服に関するものである。
【背景技術】
【０００２】
高温環境における作業者の身体を、高温に起因する障害から守るため、冷却服が着用される。このような冷却服に関する先行技術文献として、出願人は下記の特許文献１〜４を把握している。
【０００３】
特許文献１および２は、着衣に流体を循環させる流路を設け、上記流体の循環により作業者を冷却する技術に係るものである。
特許文献３および４は、冷却用のドライアイスを収納するポケットを着衣に設け、上記ドライアイスで作業者を冷却する技術に係るものである。
【０００４】
〔特許文献１〕
特許文献１（特開２０１４−７７２０７号公報）は、流体容器（ポリウレタン製など）中で蓄冷剤により液体流体（水など）を冷やす。上記液体流体を電動ポンプで冷却服内の流路（シリコンゴムやポリウレタンなどからなるチューブ）内に循環させる。これにより、作業者に冷感を与える冷却服を開示する。この冷却服は、ポンプユニットや熱交換器が身体の背面側などに取り付けられる。
【０００５】
上記特許文献１にはつぎの記載がある。
［要約］［解決手段］冷却服は、流体が循環する流路９ａ、９ｃと、流体を循環させる電動ポンプと、流路と連通し、流体を保持する流体容器１２と、断熱性材料からなる断熱容器５とを備えている。流体容器１２は、蓄冷剤１３と接触した状態で断熱容器５の内部に格納され、流体が熱交換によって冷却される。電動ポンプは、冷却された流体を冷却服に取付けられた流路９ａに送出して循環させる。
【０００６】
〔特許文献２〕
特許文献２（特開２００３−１１３５０７号公報）は、特許文献１と類似の構造のベストである。冷熱を得るための貯留部をベストとは別個に配し、冷熱の熱源としてドライアイスを用いる。ドライアイスによって冷やされた不凍液をパイプを用いてベストに供給する。ベスト内のチューブに不凍液を循環させ、作業者が冷熱を得る方法を開示する。
【０００７】
上記特許文献２にはつぎの記載がある。
［要約］［解決手段］ドライアイス、保冷材等の冷熱源又はカイロ、豆炭等の温熱源４と前記熱源４より熱伝導される液体を注入されてなる伝熱パイプ５を容器体６に収納するとともに、前記伝熱パイプ５内の冷水又は温水をポンプ８により循環させ、循環途中においてジャケット１等の衣服に形成した流路を通過させることにより、衣服着用者に冷熱又は温熱を提供する。
【０００８】
特許文献３および４の冷却服は、ドライアイスの冷熱が利用される。特許文献１および２のように循環液用の付加装置やチューブは存在しない。
【０００９】
〔特許文献３〕
特許文献３（特開２０１１−１６６９号公報）は、冷却流体を循環することなく冷熱を得る冷却服を開示する。この冷却服は、メッシュ素材で形成され、保冷材を入れるポケット部を冷却服の外側に配している。ブロック状のドライアイスを適当な大きさとしたものを紙材で包装してポケット部に投入して冷感を得る。
【００１０】
上記特許文献３にはつぎの記載がある。
［要約］［解決手段］メッシュ材２を身体冷却用衣服１の全面に使うことで、通常の生地より通気性が良くなる。同様のメッシュ材２で形成された胸部ポケット部３０、背部ポケット部、腹側部ポケット部３４、首部ポケット部には、紙材包装ドライアイス片が収納され、その冷気により身体を冷却することができる。
［００２１］・・・身体冷却用衣服１の生地には、多数の小孔が全面に配置されたメッシュ材２が全体に使用されている。前身頃３において、胸部２０にあたる位置には左右対称に胸部ポケット部３０が設けられ、両腹側部２４にあたる部分には、腹側部ポケット部３４が対称的に設けられている。・・・
［００２２］・・・身体冷却用衣服１の生地には、図１の正面図と同様にメッシュ材２が全体に使用されている。首部２６にあたる部分には首部ポケット部３６が設けられている。また、後身頃４において背部２２にあたる部分には、背部ポケット部３２が上下に１つずつ設けられられている。両腹側部２４にあたる部分には、腹側部ポケット部３４が対称的に設けられている。
［００２５］・・・ポケット部７も身体冷却用衣服１の本体と同様、メッシュ材２により構成されている。また、ポケット部形成用メッシュ材１１の上側に形成したポケット部７の挿入口１９を閉ざすことができる部位には、フラップ状のメッシュ材１２が縫い合わされている。
［００２９］・・・メッシュ材２を身体冷却用衣服１の全面に使うことで、通常の生地より通気性が良くなる。また、図４に示すように、ポケット部７についても全面にメッシュ材２を使用しているため、図５において、身体側及び外部側に紙材包装ドライアイス５４からの冷気５６を十分伝えることができるようになる。また、全面がメッシュ材２で形成されているので、汚れを落とすために洗濯した後は、乾燥が速い。・・・
［００３０］メッシュ材２の多数の小孔は、縦が３ｍｍ、横が２ｍｍほどのひし形状の構成とするのが良く、生地の厚みは１ｍｍ程度とするのが良いが、使用状態により適宜変更可能である。・・・
【００１１】
〔特許文献４〕
特許文献４（特開昭５２−１５７４７号公報）は、ジャケット状の冷却用衣服を開示する。ジャケットの内側に形成されたポケット（ルーズニットナイロンなど）にブロック状のドライアイスを装填する。上記ドライアイスは、適当な大きさとしたものを３つ、メッシュ状の担体と呼ばれる袋の中に入れる。この担体をさらにプラスチックフィルムからなるラミネート層の絶縁スリーブの中に入れる。この絶縁スリーブをさらに上記ポケットに装填する。
【００１２】
上記特許文献４にはつぎの記載がある。
［公報第２頁左下欄第１０行目〜右下欄第６行目］第１〜第４図中、参照番号１０は作業者Ｗ又は他の冷却を要する人間が着用する人体用冷却ジヤケツトの全体を示す。ジヤケツト１０は幾分従来通りの外見を有しており、胴部１１と右スリーブ１２及び左スリーブ１３を含む。胴部１１はほぼチヨツキ型であり、キルテイングを施したナイロンの外シエル１４（第４図）とこの外シエルに縫い付けその他の方法で付着されているナイロンの内シエル又は＊＊１５とを含む。キルテイングを施した外シエルは１対のナイロンシート１６、１７を含み、これらは絶縁体１９で満たされた閉鎖ポケット又はスペースを形成すべく＊１８（第１図参照）に沿つて縫合されている。チヨツキ型の胴部には、スリーブを付けるべく腕部開口が設けられている。――なお、「＊」は出願人が判読できなかった文字である。
［公報第３頁右上欄第１行目〜第４行目］次に第２図中、ジヤケツトの後部には１対の、ほぼ縦に細長く伸張しているポケツト２７，２８が設けられており、且つジヤケツトの前部左半分にもポケツト２９が取り付けられている。
［公報第３頁右上欄第９行目〜第１２行目］各ポケツトは１個又はそれ以上のドライアイスの塊を保持すべく形成されており、ドライアイスが挿入されるとポケツトの上端部は適当な閉鎖手段により閉じられる。
［公報第３頁左下欄第１行目〜第１６行目］ドライアイスは各ポケットの縦長方向に２層のメツシユ又はネツト材で形成されている担体３７（第６図）によりほぼ均等に保持される。２層のメツシユは長方形のポケツトとほぼ同型であり、長側面の１方３８と上端部３９及び底端部４０とに沿つて縫い付けられている。メツシユは更に水平方向の縫い目間に３個のアイスポケツト４３と形成すべく水平線４１，４２に沿つて縫い合わされている。ドライアイスの３個の塊４４は担体３７のポケツトの開口している側部から内部へと挿入され、更に担体は上方向に開口している絶縁スリーブ又はポケツト４５に挿入される。図示の絶縁スリーブ４５は市販されている２層のプラスチツクフイルムのラミネート層から成り、層の一つは空気泡４６を含む絶縁材のシートで形成されている。
［公報第４頁左上欄第６行目〜第９行目］炭酸ガスを容易に拡散又はポケツトにより浸透させるべく、ポケツトは織綿，ルーズニツトナイロン等の多孔性材で形成されている。
【先行技術文献】
【特許文献】
【００１３】
【特許文献１】特開２０１４−７７２０７号公報
【特許文献２】特開２００３−１１３５０７号公報
【特許文献３】特開２０１１−１６６９号公報
【特許文献４】特開昭５２−１５７４７号公報
【発明の開示】
【発明が解決しようとする課題】
【００１４】
〔作業性〕
上記特許文献１や特許文献２のような冷却服は、保冷機能と循環機能によって必要な冷熱を得るため、循環液を貯蔵する容器、循環液を冷却するポンプ、温度センサーなど、複雑な付加装置が必要である。
これらの付加装置を冷却服側に装着すると重くかさばるため、作業効率の低下につながる。また、これらの付加装置を冷却服から分離させても、冷却服と付加装置をチューブなどで連結させた状態で作業することになり、作業性は悪い。冷却服自体の中に循環液を循環させるチューブが引き回されるため、装着感がゴワゴワで作業性が悪い。
【００１５】
〔難燃性〕
日本国内における、溶鉱炉、鍛造所、電炉、溶接・溶断、造船、ガラス製造などの作業環境下で使用する作業服は、全ての材質が難燃性でなければならないという基準を採用する事業所が大多数である。
しかしながら、上記特許文献１〜４の冷却服は、いずれも高温環境下の作業者用と謳っているものの、素材の難燃性について言及されていない。上述した基準についてまったく考慮されていないのが実情である。
【００１６】
上記特許文献１の冷却服は、流体容器としてポリウレタン製のものを使用し、流体を流すチューブとしてシリコンゴムやポリウレタンなどからなるものを用いている。このため、上述した難燃性の基準に適合しないのは、明らかである。
【００１７】
上記特許文献３は、ドライアイスを燃えやすい紙材で包むため、上述した難燃性の基準に合致しないのは明白である。またこの文献では、冷却服のほとんどの部分をメッシュ素材で形成している。当該文献には材質に関する言及がないものの、メッシュ素材は一般に、ポリエステルなどの易燃性の素材で形成しなければならない。既知の難燃材をメッシュ状に形成することが極めて困難だからである。つまり、特許文献３は、上述した難燃性の基準に適合しないのは明らかである。
【００１８】
そのうえ、上記特許文献３の冷却服では、服の外側に設けたポケットにドライアイスを装填する。したがって構造的には、人体側に冷熱を取り込みにくい。このため、冷気を通しやすいメッシュ生地が採用されている。さらにメッシュ生地は、ドライアイスの冷熱を保持できない。外側のポケットに入れたドライアイスの冷熱はメッシュを通り、内側に入ったとしてもすぐに外に抜けてしまう。このように、この冷却服は、効果的に人体を冷却する構造になっていない。
【００１９】
上記特許文献４では、胴部１１がキルテイングを施したナイロンから構成されている。また、絶縁スリーブがプラスチックフイルムから形成されている。ポケツトがルーズニツトナイロンなどで形成されている。このため、上述した難燃性の基準に適合しないのは明らかである。
【００２０】
また、上記特許文献４の冷却服では、ドライアイスが人体に接触することによる人体の過剰冷却を避けるため、ドライアイスを袋状のものに二重、三重に包み、ようやく服の内側のポケットに装填する。
この形式では、ドライアイスが昇華してしまい、十分な冷感が確保できなくなっても、容易に新たなドライアイスを装填する事ができず、一旦、作業を中断し、別のところで冷却服を脱ぎ、内側から絶縁スリーブと担体を取り出して、再度、ドライアイスを装填しなければならないため、極めて作業効率が悪い。
【００２１】
〔発汗〕
また、溶鉱炉、電炉、溶接・溶断、造船、ガラス製造・加工などの高温環境下では、作業者の発汗も著しい。汗が吸い取られないままドライアイスで冷やされると、部分的に氷結して皮膚を傷める原因になりかねない。このため、冷却服に使用される素材も、単に難燃性があるだけでなく、十分な吸湿性を発揮するものであることが望ましい。
【００２２】
溶鉱炉、電炉、溶接・溶断、造船、ガラス製造・加工などの作業に代表される高温環境下では、作業者の身体を高温状態から保護するため、冷却服が用いられる。
特許文献１および２のように、循環液を利用するものは構造が複雑で作業性を低下させる。
特許文献３および４のように、ドライアイスを利用するものは、難燃性の点に問題があった。
このように、作業員の作業性を確保し、人体に十分な冷感を供給し、ドライアイスの装填が容易で、難燃性の基準を満たし、吸湿性も十分な冷却服は、現在まで提供されていなかったのが実情である。
【００２３】
〔目的〕
本発明は、上記の課題を解決するためつぎの目的をもってなされたものである。
人体に十分な冷感を与え、ドライアイスの装填が容易で、作業員の作業性もよく、難燃性の基準を満たし、吸湿性も十分な熱所作業用冷却服を提供する。
【課題を解決するための手段】
【００２４】
請求項１記載の熱所作業用冷却服は、上記目的を達成するため、つぎの構成を採用した。
冷却服は、衣服本体と、上記衣服本体の内側に設けられてドライアイスを収容するポケット部とを備え、
上記冷却服を構成する繊維素材が難燃性繊維からなる。
【００２５】
請求項２記載の熱所作業用冷却服は、請求項１記載の構成に加え、つぎの構成を採用した。
上記ポケット部にはフラップが設けられており、
上記フラップは難燃性繊維からなる繊維素材で構成されている。
【００２６】
請求項３記載の熱所作業用冷却服は、請求項１または２記載の構成に加え、つぎの構成を採用した。
上記難燃性繊維は、綿を主体とする基材にホスホニウム化合物が含浸されているものである。
【００２７】
請求項４記載の熱所作業用冷却服は、請求項１〜３のいずれか一項に記載の構成に加え、つぎの構成を採用した。
上記ポケット部は、内側に位置する部分を複数枚の布を重ねた積層構造とした。
【発明の効果】
【００２８】
請求項１記載の発明は、上記冷却服を構成する繊維素材が難燃性繊維からなるため、溶鉱炉、電炉、溶接・溶断、造船、ガラス製造・加工などの作業に代表される高温環境下で着用する服としての難燃基準に適合し、冷却服に火の粉が飛んできたとしても、繊維素材の燃えあがりが防止され、作業者の安全を確保できる。
また、ポケット部に収容したドライアイスの冷熱を利用するため、循環液用の付加装置やチューブがなく作業性が低下しない。さらに。上記ポケット部が上記衣服本体の内側に設けられているため、ポケット部に収容したドライアイスの冷熱が外部に逃げずに身体に作用しやすく、作業者に冷感を与える効率がよい。
【００２９】
請求項２記載の発明は、上記ポケット部にはフラップが設けられており、上記フラップは難燃性繊維からなる繊維素材で構成されている。このため、上述した各種の高温環境下で着用する服としての難燃基準に適合し、作業者の安全を確保できる。着衣の内側とはいってもフラップは、衣服から飛び出して設けられていて構造的に燃えやすい部分なので、難燃素材で構成する効果が高い。
【００３０】
請求項３記載の発明は、上記難燃性繊維は、綿を主体とする基材にホスホニウム化合物が含浸されているものである。このため、難燃性繊維が火にふれると、含浸されているホスホニウム化合物による難燃性が発揮され、作業者の安全を確保できる。また、基材は綿を主体とするものであるため、吸湿性が発揮され、高温環境下で作業者から出た汗を吸い取る。汗が吸い取られないままドライアイスで氷結して皮膚を傷めるようなトラブルが防止される。
【００３１】
請求項４記載の発明は、上記ポケット部は、内側に位置する部分を複数枚の布を重ねた積層構造とした。このため、ポケット部に収容したドライアイスと、冷却服を着用した人体の間には、少なくとも複数枚を重ねた布が存在する。したがって、人体に作用するドライアイスの冷熱の威力を適度に緩和し、凍傷の発生を防止して安全性を確保できる。ドライアイスをそのまま裸でポケット部に収容すればよいため、ドライアイスの装填が容易である。
【図面の簡単な説明】
【００３２】
【図１】本発明の第１実施形態の熱所作業用冷却服を説明する図である。（Ａ）は前面表側、（Ｂ）は背面表側である。
【図２】上記第１実施形態の熱所作業用冷却服を説明する図である。（Ａ）は前面裏側、（Ｂ）は背面裏側である。
【図３】上記第１実施形態の熱所作業用冷却服を説明する側面図である。
【図４】ポケット部を説明する図である。
【図５】本発明の第２実施形態の熱所作業用冷却服を説明する図である。（Ａ）は前面表側、（Ｂ）は背面表側である。
【図６】上記第２実施形態の熱所作業用冷却服を説明する図である。（Ａ）は前面裏側、（Ｂ）は背面裏側である。
【図７】上記第２実施形態の熱所作業用冷却服を説明する側面図である。
【発明を実施するための形態】
【００３３】
つぎに、本発明を実施するための形態を説明する。
【００３４】
〔第１実施形態〕
図１〜図４は、本発明が適用された熱所作業用冷却服を示す第１実施形態である。
【００３５】
〔全体構造〕
図１〜図３は、本実施形態の熱所作業用冷却服（以下「冷却服」という）の全体構造を示す図である。
【００３６】
上記冷却服は、衣服本体１０が全体としてベスト状に形成されている。上記衣服本体１０は、前身頃１と後ろ身頃２が肩部３で連結され、前身頃１の上部から後ろ身頃２の上部にかけて立襟４が設けられて構成されている。上記前身頃１の中央には、開閉用のファスナー５が取り付けられている。上記衣服本体１０では、袖にあたる部分から脇にかけては、前身頃１と後ろ身頃２が縫合されず、開放部になっている。
【００３７】
上記前身頃１の左右両側には、それぞれ２本の前ベルト６が取り付けられている。上記前ベルト６は、長さ調整用のバックル６ａを有し、先端にＤ環６ｂが取り付けられている。
上記後ろ身頃２の左右両側には、それぞれ２本の後ベルト７が取り付けられている。上記後ベルト７は、長さ調節用のバックル７ａを有している。
上記後ベルト７の先端部分を前ベルト６のＤ環６ｂに通し、前ベルト６と後ベルト７を接続することにより、前身頃１と後ろ身頃２のあいだの脇の部分を連結する。
【００３８】
上記後ろ身頃２の中央上部には、ハーネスを挿通させるためのスリット１４が設けられている。
【００３９】
上記前身頃１、後ろ身頃２、立襟４の各周辺には、パイピングテープ８によるパイピングが施され、ほつれを防止している。
【００４０】
上記後ろ身頃２内側の上記スリット１４より上側に、繊維製品の品質や洗濯方法などを表示する印刷部９が設けられている。繊維製品の品質や洗濯方法などを上記印刷部９で表示することにより、表示用のタグの使用を廃している。
【００４１】
〔ポケット部〕
上記冷却服は、衣服本体１０と、上記衣服本体１０の内側に設けられてドライアイスを収容するポケット部１１とを備えている。
本明細書では、ポケット部を総称して指すときは符号１１を付し、前身頃１のポケット部を指すときは符号１１ａを付し、後ろ身頃２のポケット部を指すときは符号１１ｂを付し、立襟４のポケット部を指すときは符号１１ｃを付して説明する。
【００４２】
この例では、上記前身頃１の内側に４つのポケット部１１ａが配置され、上記後ろ身頃２の内側に５つのポケット部１１ｂ，１１ｃが配置されている。
【００４３】
上記前身頃１の内側には、左右にそれぞれ上下２つずつのポケット部１１ａが配置されている。
上記後ろ身頃２の内側には、左右にそれぞれ上下２つずつのポケット部１１ｂが配置され、立襟４の内側中央に、１つのポケット部１１ｃが配置されている。
【００４４】
図４は、上記各ポケット部１１の構造を説明する図である。
上記ポケット部１１には、下辺の左右にタック１２が設けられ、ドライアイスを収容するためのマチをつくっている。
上記ポケット部１１は、内側に位置する部分を複数枚の布を重ねた積層構造としている。この例では厚み０．４９ｍｍの布を５枚積層している。
【００４５】
上記ポケット部１１には、上部開口を蓋するフラップ１３が設けられている。上記フラップ１３は、複数枚の布を重ねた積層構造としている。この例では２枚の布を積層している。上記フラップ１３は、スナップボタン１３ａでポケット部１１に留めるようになっている。
【００４６】
〔素材〕
上記冷却服を構成する繊維素材は、難燃性繊維からなる。
つまり、前身頃１、後ろ身頃２および立襟４からなる衣服本体１０は難燃性繊維から構成されている。上記ポケット部１１も難燃性繊維から構成されている。上記フラップ１３を構成する繊維素材も難燃性繊維からなる。
【００４７】
上記パイピングテープ８も難燃性繊維である。各繊維パーツの縫合に用いる糸は難燃性繊維とするのが好ましい。
【００４８】
上記難燃性繊維は、綿を主体とする基材にホスホニウム化合物が含浸されているものを用いることができる。綿織物に、難燃化処理（たとえば、特開平８−１３３４５号に開示された方法である）が施されたものを用いることができる（たとえば、商品名「プロバン」：大和紡績株式会社）。
【００４９】
このような難燃化処理を施した難燃性繊維の難燃メカニズムはつぎのようなものである。上記難燃性繊維が火に触れると、コットン繊維を覆っているプロパン・ポリマーが分解し、繊維の燃焼を遅らせる。プロパン・ポリマーは分解して五酸化リンをつくり、コットン繊維を脱水し、徐々に炭化していく。五酸化リンはポリリン酸となり、酸素を遮断してしまうため、それ以上燃え広がりにくくなる。コットンの繊維組織は炭化しながらもしっかりとその形状を維持する。
上記難燃性繊維は、自己消火性があり、燃焼時に炭化するので生地が溶けない。着火したとき生地を炭化させ、燃え広がるのを防ぐ。燃焼時、収縮による穴があきにくく溶融しない。ＬＯＩ値は２８〜３２であり、高い難燃性を実現している。
（ダイワボウ  ＰＲＯＢＡＮカタログより引用）
【００５０】
上記ファスナー５のエレメント（務歯）が取り付けられるテープも難燃性繊維である。たとえば、メタ型アラミド繊維（難燃剤を含む）を使用したものを用いることができる。具体的には、たとえば、ＹＫＫ株式会社の難燃仕様の金属ファスナー５ＲＧを用いることができる。
【００５１】
上記各繊維素材以外のパーツは、金属製である。具体的には、バックル６ａ，７ａ、Ｄ環６ｂ、スナップボタン１３ａ、ファスナー５を構成するエレメント（務歯）およびスライダーは、それぞれ金属製である。
【００５２】
〔使用方法〕
本実施形態の冷却服は、適当な大きさに切り分けたドライアイスをポケット部１１に収容した状態で着用する。ポケット部１１に収容するドライアイスは、たとえば、６０ｍｍ×２４ｍｍ×１２０ｍｍ程度で約２５０ｇ程度の大きさにしたものを用いることができる。
【００５３】
上記フラップ１３をめくって露出する上部開口からドライアイスをポケット部１１に収容する。そのあとスナップボタン１３ａでフラップ１３をポケット部１１に留める。これにより、ドライアイスが作業中に着衣のなかで飛び出すのを防ぎ、安全性を確保する。
【００５４】
また、ポケット部１１は、内側に位置する部分を複数枚の布を重ねた積層構造（この例では５枚の布を積層）としているため、ポケット部１１に収容したドライアイスの冷熱が直接人体に作用せず、威力が適度に緩和される。また、ポケット部１１の上半分がフラップ１３で覆われるため、ポケット部１１に収容したドライアイスの冷熱が直接人体に作用する威力をさらに緩和する。また、フラップ１３でポケット部１１を覆う保冷作用により、ドライアイスの気化スピードを遅らせ、ドライアイスを長持ちさせることができる。
【００５５】
ポケット部１１内でドライアイスが気化した冷気は、ポケット部１１の複数枚重ねた布を通り抜けるのではなく、ポケット部１１の上部開口から流れ出る。このとき、ポケット部１１の上部開口がフラップ１３で覆われているため、ポケット部１１の上部開口から流れ出た冷気がフラップ１３に沿って下向きに方向を変える。その冷気は、冷却服を着用した作業者の胴部表面に沿って流れ、作業者の胴部にまんべんなく冷感を与えることができる。
【００５６】
〔まとめ〕
本実施形態の冷却服は、繊維素材を難燃性繊維とした。また、上記各繊維素材以外のパーツを金属製とした。これにより、冷却服に火の粉が飛んできたとしても、繊維素材の燃えあがりが防止され、作業者の安全を確保できる。
【００５７】
本実施形態の冷却服は、繊維製品の品質や洗濯方法などを上記印刷部９で表示し、表示用のタグの使用を廃した。また、パイピングテープ８によるパイピングでほつれを防止した。これにより、薄い布や糸が飛び出した燃えやすい部分をなくし、安全性を高めた。
【００５８】
〔第２実施形態〕
図４〜図６は、本発明が適用された熱所作業用冷却服を示す第２実施形態である。
【００５９】
この第２実施形態は、衣服本体１０の下半分を除去して上半分だけで構成したものである。この例では、上記前身頃１の内側に２つのポケット部１１ａが配置され、上記後ろ身頃２の内側に３つのポケット部１１ｂ，１１ｃが配置されている。
上記前身頃１の内側には、左右にそれぞれ１つずつのポケット部１１ａが配置されている。上記後ろ身頃２の内側には、左右にそれぞれ１つずつのポケット部１１ｂが配置され、立襟４の内側中央に１つのポケット部１１ｃが配置されている。
【００６０】
それ以外は図１〜４に示す第１実施形態と同様であり、同様の部分に同じ符号を付して説明を省略した。
【００６１】
〔各実施形態の効果〕
上記各実施形態は、つぎの効果を奏する。
【００６２】
上記各実施形態は、上記冷却服を構成する繊維素材が難燃性繊維からなるため、溶鉱炉、電炉、溶接・溶断、造船、ガラス製造・加工などの作業に代表される高温環境下で着用する服としての難燃基準に適合し、冷却服に火の粉が飛んできたとしても、繊維素材の燃えあがりが防止され、作業者の安全を確保できる。
また、ポケット部１１に収容したドライアイスの冷熱を利用するため、循環液用の付加装置やチューブがなく作業性が低下しない。さらに。上記ポケット部１１が上記衣服本体１０の内側に設けられているため、ポケット部１１に収容したドライアイスの冷熱が外部に逃げずに身体に作用しやすく、作業者に冷感を与える効率がよい。
【００６３】
上記各実施形態は、上記ポケット部１１にはフラップ１３が設けられており、上記フラップ１３は難燃性繊維からなる繊維素材で構成されている。このため、上述した各種の高温環境下で着用する服としての難燃基準に適合し、作業者の安全を確保できる。着衣の内側とはいってもフラップは、衣服から飛び出して設けられていて構造的に燃えやすい部分なので、難燃素材で構成する効果が高い。
【００６４】
上記各実施形態は、上記難燃性繊維は、綿を主体とする基材にホスホニウム化合物が含浸されているものである。このため、難燃性繊維が火にふれると、含浸されているホスホニウム化合物による難燃性が発揮され、作業者の安全を確保できる。また、基材は綿を主体とするものであるため、吸湿性が発揮され、高温環境下で作業者から出た汗を吸い取る。汗が吸い取られないままドライアイスで氷結して皮膚を傷めるようなトラブルが防止される。
【００６５】
上記各実施形態は、上記ポケット部１１は、内側に位置する部分を複数枚の布を重ねた積層構造とした。このため、ポケット部１１に収容したドライアイスと、冷却服を着用した人体の間には、少なくとも複数枚を重ねた布が存在する。したがって、人体に作用するドライアイスの冷熱の威力を適度に緩和し、凍傷の発生を防止して安全性を確保できる。ドライアイスをそのまま裸でポケット部に収容すればよいため、ドライアイスの装填が容易である。
【００６６】
〔変形例〕
以上は本発明の特に好ましい実施形態について説明したが、本発明は図示した実施形態に限定する趣旨ではなく、各種の態様に変形して実施することができ、本発明は各種の変形例を包含する趣旨である。
【００６７】
たとえば、難燃性繊維として、綿を主体とする基材にホスホニウム化合物が含浸されているもの（商品名「プロバン」：大和紡績株式会社）を用いたが、これに限定するものではなく、各種の難燃性繊維を用いることができる。たとえば、メタ系アラミド繊維によるもの（商品名「コーネックス」：帝人株式会社：ＬＯＩ値２７〜２９）、モダアクリル繊維によるもの（商品名「カネカロン」：株式会社カネカ：ＬＯＩ値２７〜３８）、非ハロゲン添加ポリエステル繊維によるもの（商品名「アンフラ」：東レ株式会社：ＬＯＩ値２８）などを用いることができる。
【００６８】
また、夜間や暗所での安全を確保するための反射材を取り付けることもできる。
【符号の説明】
【００６９】
１：前身頃
２：後ろ身頃
３：肩部
４：立襟
５：ファスナー
６：前ベルト
６ａ：バックル
６ｂ：Ｄ環
７：後ベルト
７ａ：バックル
８：パイピングテープ
９：印刷部
１０：衣服本体
１１：ポケット部
１１ａ：ポケット部（前身頃）
１１ｂ：ポケット部（後ろ身頃）
１１ｃ：ポケット部（立襟）
１２：タック
１３：フラップ
１３ａ：スナップボタン
１４：スリット
【図１】
2018053387.tif 000003
【図２】
2018053387.tif 000004
【図３】
2018053387.tif 000005
【図４】
2018053387.tif 000006
【図５】
2018053387.tif 000007
【図６】
2018053387.tif 000008
【図７】
2018053387.tif 000009